(57)【要約】【課題】犬等の愛玩小動物と一緒に外出する際に、その小動物を確実に収容抱持して、容易に脱落することがなく、また公共性の高い場所においては小動物の足や顔等が他の人からは見えない状態で収容抱持することができ、また小動物にとっても居心地がよく、安心して収容されることができる小動物用スリングの提供を課題とする。【解決手段】外側シート１１と内側シート１２とが底部で連続したシート環状体１０を構成し、該シート環状体１０の一側１０ａを肩掛けとすると共に、他側１０ｂの外側シート１１と内側シート１２との間を小動物を収容する収容ポケット２０とし、該収容ポケット２０の開口部２１を覆うよう上部に巾着口付メッシュカバー３０を取り付けてある。【選択図】      図２
0003129906.tif 000002
【実用新案登録請求の範囲】
【請求項１】
外側シートと内側シートとが底部で連続したシート環状体を構成し、該シート環状体の一側を肩掛けとすると共に、他側の外側シートと内側シートとの間を小動物を収容する収容ポケットとし、該収容ポケットの開口部を覆うよう上部に巾着口付メッシュカバーを取り付けてあることを特徴とする小動物用スリング。
【請求項２】
シート環状体の上縁をその途中から他側方向に向けて緩やかな上向きに傾斜させて構成すると共に前記シート環状体の他側の側縁を底部から上方に向けて内向き方向に傾斜させることで、前記収容ポケットの開口部を内向き方向に傾くように構成すると共に収容ポケットの深さを深く構成してあることを特徴とする請求項１に記載の小動物用スリング。
【請求項３】
シート環状体は、該シート環状体の他側となる側縁の下半部に１乃至複数のマチ部を設けたことを特徴とする請求項１又は２に記載の小動物用スリング。
【請求項４】
メッシュカバーは、シート環状体の収容ポケットから小動物の頭部が出入自在に出来るよう取り付けたことを特徴とする請求項１〜３の何れかに記載の小動物用スリング。
【請求項５】
メッシュカバーは、収容ポケットの開口部に対して着脱自在に取り付けられることを特徴とする請求項１〜４の何れかに記載の小動物用スリング。
【考案の詳細な説明】
【技術分野】
【０００１】
本考案は犬等の小動物を収容抱持するのに用いる小動物用スリングに関する。
【背景技術】
【０００２】
従来、人間の子供をおんぶしたり抱っこしたりするのに用いる、いわゆるベビースリングが提供されている。その一方、犬などの愛玩動物を収容して抱え持つのに用いる補助具としての小動物用スリングは殆ど提供されていないのが現状である。
特開２００６−２３１０３３号公報（特許文献１）には、ベビースリングとして、環状本体１０をハンモックのように肩に掛けて、赤子や幼児を保持するものが提供されている。
また特開２００５−５２５８４号公報（特許文献２）にも、ベビースリングとして、スリング本体２を調整ベルト１０で肩に掛け、ハンモックのようにして赤子や幼児をスリング本体２の中央領域４、６付近に収容するものが提供されている。
【特許文献１】特開２００６−２３１０３３号公報
【特許文献２】特開２００５−５２５８４号公報
【考案の開示】
【考案が解決しようとする課題】
【０００３】
上記特許文献１、２は何れも人間の赤子を収容抱持することを主たる目的をするものであることから、スリングから足や頭が容易にはみ出るような構成となっている。これは人間の赤子等が比較的おとなしいことから、このような構成でも落下するようなことはなく、また赤子の足や頭が比較的自由に動かせ、且つ外気にふれる自由度をもたせる工夫でもあるからである。
しかしながら前記特許文献１、２は、犬等の小動物を収容抱持するのには十分でない。なぜなら、単なるハンモックのような上記スリングでは、動きが活発な犬等の小動物では、すぐに自ら飛び出し或いは脱落して落下する結果となるからである。特に電車内やその他の公共性の高いところでは、小動物はそのままでは持ち込めないし、例え特許文献１、２に示すスリングを用いても、足や顔、頭がスリングから露出するので、公共性の要求を満たすことができないからである。
【０００４】
そこで本考案は上記従来の問題を解消し、犬等の愛玩小動物と一緒に外出する際に、その小動物を確実に収容抱持して、容易に脱落することがなく、また公共性の高い場所においては小動物の足や顔等が他の人からは見えない状態で収容抱持することができ、また小動物にとっても居心地がよく、安心して収容されることができる小動物用スリングの提供を課題とする。
【課題を解決するための手段】
【０００５】
上記課題を達成するため、本考案の小動物用スリングは、外側シートと内側シートとが底部で連続したシート環状体を構成し、該シート環状体の一側を肩掛けとすると共に、他側の外側シートと内側シートとの間を小動物を収容する収容ポケットとし、該収容ポケットの開口部を覆うよう上部に巾着口付メッシュカバーを取り付けてあることを第１の特徴としている。
また本考案の小動物用スリングは、上記第１の特徴に加えて、シート環状体の上縁をその途中から他側方向に向けて緩やかな上向きに傾斜させて構成すると共に前記シート環状体の他側の側縁を底部から上方に向けて内向き方向に傾斜させることで、前記収容ポケットの開口部を内向き方向に傾くように構成すると共に収容ポケットの深さを深く構成してあることを第２の特徴としている。
また本考案の小動物用スリングは、上記第１又は第２の特徴に加えて、シート環状体は、該シート環状体の他側となる側縁の下半部に１乃至複数のマチ部を設けたことを第３の特徴としている。
また本考案の小動物用スリングは、上記第１〜第３の何れかに記載の特徴に加えて、メッシュカバーは、シート環状体の収容ポケットから小動物の頭部が出入自在にできるよう取り付けたことを第４の特徴としている。
また本考案の小動物用スリングは、上記第１〜第４の何れかに記載の特徴に加えて、メッシュカバーは、収容ポケットの開口部に対して着脱自在に取り付けられることを第５の特徴としている。
【考案の効果】
【０００６】
請求項１に記載の小動物用スリングによれば、外側シートと内側シートとが底部で連続したシート環状体を構成し、該シート環状体の一側を肩掛けとすると共に、他側の外側シートと内側シートとの間を小動物を収容する収容ポケットとし、該収容ポケットの開口部を覆うよう上部に巾着口付メッシュカバーを取り付けてあるので、
人の方に掛けられて吊り下げられた小動物用スリングの収容ポケットに入った小動物は、収容ポケットには底があるので、足等がはみ出ることがない。また収容ポケットには巾着口付メッシュカバーを取り付けてあるので、小動物を収容ポケットに収容した状態で前記巾着付メッシュカバーの巾着口を閉じることで、収容した小動物の顔や頭を周囲から隠すことができる。よって公共性の高い場所にも連れて行くことが可能となる。
勿論、小動物はメッシュカバーの巾着口を閉じられても、メッシュを通じて内部から外を見ることは可能であるし、空気の流通もあるので、不安な状態となるのを回避できる。
【０００７】
請求項２に記載の小動物用スリングによれば、上記請求項１に記載の構成による効果に加えて、シート環状体の上縁をその途中から他側方向に向けて緩やかな上向きに傾斜させて構成すると共に前記シート環状体の他側の側縁を底部から上方に向けて内向き方向に傾斜させることで、前記収容ポケットの開口部を内向き方向に傾くように構成すると共に収容ポケットの深さを深く構成してあるので、
小動物用スリングを吊り下げた状態で、収容ポケットの開口部が外側に高く内側に低くなり、開口部が吊り下げ者の身体の方向に内向きに傾く状態とすることができる。従って収容ポケットに収容された小動物が、開口部から外方へ飛び出たり、脱落したりすることをより少なくすることができる。
またシート環状体の上縁を、その途中から他側方向に向けて緩やかな上向きに傾斜させて構成することで、収容ポケットの開口部を内向き状態にできる他、開口部の平面形状は同じであっても開口部が斜めになっている分だけ、開口部の面積そのものを広くすることができる。よって小動物の出し入れがその分だけ容易に行うことができる。
またシート環状体の上縁を、その途中から他側方向に向けて緩やかな上向きに傾斜させて構成すると共に、前記シート環状体の他側の側縁を底部から上方に向けて内向き方向に傾斜させることで、収容ポケットの深さを深くできるので、小動物を収容ポケットにゆったりと余裕をもって収容抱持することができる。勿論、深くなった分だけ小動物の収容ポケットからのはみ出しや飛び出しをなくすことができる。
【０００８】
請求項３に記載の小動物用スリングによれば、上記請求項１又は２に記載の構成による効果に加えて、シート環状体は、該シート環状体の他側となる側縁の下半部に１乃至複数のマチ部を設けたので、
シート環状体の他側にある収容ポケットの下半部の隅の無駄な尖りが解消され、収容ポケットの隅部をコンパクトな丸みのある空間にすることができる。よって収容ポケットの収容空間を、全体としてコンパクトであるが隅部の少ない、丸みのある、ゆったりとした空間にすることができる。
【０００９】
請求項４に記載の小動物用スリングによれば、上記請求項１〜３の何れかに記載の構成による効果に加えて、メッシュカバーは、シート環状体の収容ポケットから小動物の頭部が出入自在にできるよう取り付けたので、
小動物は収容ポケットから顔を出して、メッシュカバーを介して外部を見ることが可能となる。一方、周囲の人間はメッシュカバーの中にいる小動物は事実上見えない。よって小動物にも、また外部の公共性にも配慮することができる。
【００１０】
請求項５に記載の小動物用スリングによれば、上記請求項１〜４の何れかに記載の構成による効果に加えて、メッシュカバーは、収容ポケットの開口部に対して着脱自在に取り付けられるので、
小動物の顔や頭が見えないようにする必要がない場合には、メッシュカバーを取り外し、収容ポケットに収容された小動物に邪魔にならないようにすることができる。
【考案を実施するための最良の形態】
【００１１】
以下の図面を参照しながら本考案の実施形態を更に詳細に説明し、本考案の理解に供する。しかし以下の説明は本考案の具体例であって、実用新案登録請求の範囲に記載の内容を減縮するものではない。
図１は本考案の実施形態に係る小動物用スリングの使用例を示す斜視図、図２は本考案の実施形態に係る小動物用スリングの正面図、図３は本考案の実施形態に係る小動物用スリングの平面図、図４はシート環状体の加工前の元の１枚の布製のシートを示す図、図５は元の１枚の布製シートを半分に折って縫い合わせて得た１重のシート環状体の図である。
【００１２】
先ず図１を参照して、本考案に係る小動物用スリング１は、その一側で人の肩部に掛けられて、人の腹部や腰部に沿って吊り下げられる。そして吊り下がったスリング１の前記一側とは反対側の他側に収容ポケット２０が位置することになり、小動物が収容される。小動物としては、主として犬であるが、他の愛玩用等の小動物であってもよい。小動物とは人がスリングに収容して歩くことができる程度の大きさの動物という意味である。
【００１３】
小動物用スリング１は、シート環状体１０で構成されている。シート環状体１０は外側シート１１と内側シート１２とからなる。このシート環状体１０に収容ポケット２０が設けられ、また巾着口付メッシュカバー３０が取り付けられる。
【００１４】
前記シート環状体１０は、布生地からなるシートや、その他のシートで構成することができる。本実施形態では、後述するように１枚の布を用いて、２重に構成されたシート環状体１０としている。
シート環状体１０の一側１０ａは、他側１０ｂに較べてシートの帯幅は狭く構成され、人の肩に掛けるための肩掛部とされている。勿論、この一側も比較的幅広に構成して肩の一部に負担がかからないようにしている。
シート環状体１０の前記一側１０ａに対応する他側１０ｂには収容ポケット２０が構成される。
シート環状体１０が人の肩に掛けられたとき、内側シート１２が人の身体に接する側、即ち内側となり、外側シート１１は外側になる。
【００１５】
前記シート環状体１０の外側シート１１と内側シート１２とは、その底部で連続した構成になされている。
外側シート１１と内側シート１２は何れも大まかには長方形状をしており、その長手方向の中央付近よりやや後部における上縁付近に、それぞれ相互に縫着される一対の逢着部１３を形成している。この一対の逢着部１３、１３を介して外側シート１１と内側シート１２とが、その上縁１１ａ、１２ａで連続するループとなって繋がり、前記収容ポケット２０の開口部２１となっている。即ち、収容ポケット２０の開口部２１は、シート環状体１０の他側１０ｂにおける外側シート１１の上縁１１ａと内側シート１２の上縁１２ａとが前記一対の縫着部１３、１３で縫い合わされることで構成される。
【００１６】
前記シート環状体１０は、その上縁（外側シート１１の上縁１１ａ及び内側シート１２の上縁１２ａ）を、一側１０ａから他側１０ｂへ向けての途中から、上向きに傾斜させて構成している。より具体的には、前記収容ポケット２０の開口部２１が構成される縫着部１３、１３付近から他側１０ｂへかけての上縁を上向きに傾斜させている。これによって、シート環状体１０を肩に掛けた状態で収容ポケット２０の開口部２１が身体側に内向き方向に傾いた状態とすることができる。
勿論、前記傾斜させるのは外側シート１１の上縁１１ａだけで、内側シート１２の上縁１２ａは必ずしも傾斜させなくてもよい。外側シート１１の上縁１１ａだけが傾斜した場合でも、収容ポケット２０の開口部２１を内向き方向に傾いた状態にさせることができるからである。傾きの角度αは２０度程度とするが、状況に応じて５〜３０度程度とすることができる。
【００１７】
前記シート環状体１０は、その他側１０ｂの側縁１０ｃを底部１０ｄから上方に内向きに傾斜させて構成している。これによって収容ポケット２０の外側に位置するシートが内向きに立ち上がることで、収容ポケット２０が外側に向けて型崩れしないようにすることができ、収容された小動物が収容ポケット２０から外側に脱落し難いようにしている。
勿論、前記傾斜させるのは、外側シート１１の側縁１１ｃだけとし、内側シート１２は必ずしも同様に傾斜させなくてもよい。傾きの角度βは１０度程度とするが、状況に応じて２０度以内で適当に傾斜させることができる。
なお内側シート１２は、シート環状体１０を肩に掛けたときに、ある程度身体に接することが必要であるので、それに適した形状や寸法を考慮することができる。
【００１８】
前記シート環状体１０の上縁を途中から他側１０ｂにかけて上向きに傾斜させ、またシート環状体１０の他側１０ｂの側縁１０ｃを内向きに傾斜させることで、該側縁１０ｃが内向き傾斜ながらも十分な寸法長さとすることができ、収容ポケット２０の深さを深くすることができると同時に、収容ポケット２０が外側に出っ張り過ぎないようにすることができる。
【００１９】
シート環状体１０は、前記側縁１０ｃの下半部の面に１乃至複数のマチ部１４を形成している。マチ部１４を形成することで、シート環状体１０の他側１０ｂにある収容ポケット２０の下半部の隅の無駄な尖りが解消され、収容ポケット２０の隅部をコンパクトな丸みのある空間にすることができ、よって全体としてコンパクトであるが隅部の少ない、丸みのある、ゆったりとした収容ポケット２０を得ることができる。
【００２０】
前記収容ポケット２０の開口部２１に取り付けられる巾着口付メッシュカバー３０は、外側シート１１の上縁１１ａと内側シート１２の上縁１２ａと上記縫着部１３を通る円周に沿って縫い合わせることで、取り付けることができる。勿論、巾着口付メッシュカバー３０は、例えばファスナー手段やその他の着脱自在な取付手段を用いて、着脱自在に取り付けるようにすることができる。
また巾着口付メッシュカバー３０の巾着口３１は、紐によって開閉自在に閉じることができるようになされている。
この巾着口付メッシュカバー３０は柔らかいメッシュ生地を用いることで、収容ポケット２０の中に収納した状態としたり、収容ポケット２０の開口部２１から外に出た状態に保持する等、自由な配置を確保することができる。また形状にも自由に変化することができる柔軟性をもたせることができる。
また柔らかい布で巾着口３１を設けることで、収納ポケット２０内に収容された小動物が首を巾着口３１から出す場合においても、首にフィットして摺れないので、怪我などをすることがない。
【００２１】
本考案の実施形態に係る小動物用スリングの製作方法を図４、図５も参照して説明する。
先ず１枚の布製のシートＡを用意し、これを中央（線ｙ）で折り畳み、折り畳み端を縫合（Ｓ１）する。これにより１重リングの環状体となる（図５）。
次に縫合（Ｓ１）した側（後にシート環状体１０の他側１０ｂとなる）に、該縫合Ｓ１の中央付近と少し上の部分にマチ部１４（図２、図３参照）を縫製する。
次に図５に示す前記１重リングの環状体の下半部を内側に折り曲げる（下半部を線ｘで内側に折り曲げる）ことで、２重リングのシート環状体１０とする（図２）。
次に２重リングの環状体１０の外側シート１１と内側シート１２とを、その中央付近の上縁でそれぞれ１箇所、相互に縫製して一対の縫着部１３、１３を形成する（図２、図３参照）。これによって収納ポケット２０の開口部２１が形成される。
次に予め用意した巾着口付メッシュカバー３０の下端部を収納ポケット２０の開口部２１の周円に沿って縫い付ける。これによって小動物用スリングが完成する。
【図面の簡単な説明】
【００２２】
【図１】本考案の実施形態に係る小動物用スリングの使用例を示す斜視図である。
【図２】本考案の実施形態に係る小動物用スリングの正面図である。
【図３】本考案の実施形態に係る小動物用スリングの平面図である。
【図４】シート環状体の加工前の元の１枚の布製のシートを示す図である。
【図５】元の１枚の布製シートを半分に折って縫い合わせて得た１重のシート環状体の図である。
【符号の説明】
【００２３】
１      小動物用スリング
１０    シート環状体
１０ａ  一側
１０ｂ  他側
１０ｃ  側縁
１０ｄ  底部
１１    外側シート
１１ａ  上縁
１１ｃ  側縁
１２    内側シート
１２ａ  上縁
１３    縫着部
１４    マチ部
２０    収容ポケット
２１    開口部
３０    巾着口付メッシュカバー
３１    巾着口
α      角度
β      角度
【図１】
0003129906.tif 000003
【図２】
0003129906.tif 000004
【図３】
0003129906.tif 000005
【図４】
0003129906.tif 000006
【図５】
0003129906.tif 000007